(57)【要約】【課題】  電子カメラ内に撮り貯めした写真データをパソコン等に転送する際に、ユーザが振り分けなどの編集処理を行わなくても、電子カメラからの転送のみで写真データの振り分け処理を可能とする。【解決手段】  制御部２は、シャッタボタンが押されることによって撮影された被写体の撮影画像から特徴認識部８により認識された被写体の特徴情報と、記録部７のメモリカード７ａに保存されている特徴情報とを照合し、特徴が一致する場合には、その一致する特徴情報に対応して作成されているメモリカード７ａのフォルダに撮影画像を保存する。【選択図】  図１
2006080891.tif 000002
【特許請求の範囲】
【請求項１】
シャッタボタンが押されることによって被写体の撮影画像を装置本体に着脱可能な記録媒体であるメモリカードに記録する撮影画像記録制御手段を有する電子写真装置であって、
撮影された被写体の特徴である顔、体格、身長等の情報を認識する特徴認識手段と、
前記特徴認識手段により認識された被写体の特徴情報を前記メモリカードに予め保存する特徴情報保存手段と、
前記撮影画像を分類する分類情報を前記１または複数の特徴情報に対応付けて前記メモリカードに予め登録する登録手段とを備えており、
前記撮影画像記録制御手段は、前記シャッタボタンが押されることによって撮影された被写体の撮影画像に基づいて前記特徴認識手段により認識された被写体の特徴情報と前記メモリカードに保存されている特徴情報とを照合し、特徴が一致する場合には、その一致する特徴情報に対応付けられている前記分類情報を前記撮影画像に付加して前記メモリカードに保存するとともに、前記メモリカードから撮影画像を読み出す場合には、前記分類情報ごとにひとまとめにして読み出すことを特徴とする電子写真装置。
【請求項２】
シャッタボタンが押されることによって被写体の撮影画像を記録媒体に記録する撮影画像記録制御手段を有する電子写真装置であって、
撮影された被写体の特徴を認識する特徴認識手段と、
前記特徴認識手段により認識された被写体の特徴情報を予め保存する特徴情報保存手段と、
前記記録媒体に前記特徴情報に対応した１または複数の記録領域を作成する記録領域作成手段とを備えており、
前記撮影画像記録制御手段は、前記シャッタボタンが押されることによって撮影された被写体の撮影画像に基づいて前記特徴認識手段により認識された被写体の特徴情報と前記特徴情報保存手段に保存されている特徴情報とを照合し、特徴が一致する場合には、その一致する特徴情報に対応して作成されている前記記録媒体の記録領域に前記撮影画像を保存することを特徴とする電子写真装置。
【請求項３】
前記記録領域がフォルダであることを特徴とする請求項２に記載の電子写真装置。
【請求項４】
前記特徴認識手段によって認識される被写体の特徴情報が、顔、体格、身長等の情報であることを特徴とする請求項２または請求項３に記載の電子写真装置。
【請求項５】
前記１つの記録領域には、１または複数の特徴情報が対応付けられていることを特徴とする請求項２ないし請求項４のいずれかに記載の電子写真装置。
【請求項６】
前記記録媒体が装置本体に着脱可能なメモリカードであり、前記特徴情報がこのメモリカードに保存されていることを特徴とする請求項２ないし請求項５のいずれかに記載の電子写真装置。
【請求項７】
シャッタボタンが押されることによって被写体の撮影画像を記録媒体に記録する撮影画像記録制御手段を有する電子写真装置であって、
撮影された被写体の特徴を認識する特徴認識手段と、
前記特徴認識手段により認識された被写体の特徴情報を予め保存する特徴情報保存手段と、
前記撮影画像を分類する分類情報を前記特徴情報に対応付けて予め登録する登録手段とを備えており、
前記撮影画像記録制御手段は、前記シャッタボタンが押されることによって撮影された被写体の撮影画像に基づいて前記特徴認識手段により認識された被写体の特徴情報と前記特徴情報保存手段に保存されている特徴情報とを照合し、特徴が一致する場合には、その一致する特徴情報に対応付けられている前記分類情報を前記撮影画像に付加して前記記録媒体に保存するとともに、前記記録媒体から撮影画像を読み出す場合には、前記分類情報ごとにひとまとめにして読み出すことを特徴とする電子写真装置。
【請求項８】
前記分類情報が、撮影画像の読み出し時にはフォルダとしての機能を有することを特徴とする請求項７に記載の電子写真装置。
【請求項９】
前記特徴認識手段によって認識される被写体の特徴情報が、顔の特徴、体格、身長等の情報であることを特徴とする請求項７または請求項８に記載の電子写真装置。
【請求項１０】
前記記録媒体が装置本体に着脱可能なメモリカードであり、前記特徴情報がこのメモリカードに保存されていることを特徴とする請求項７ないし請求項９のいずれかに記載の電子写真装置。
【発明の詳細な説明】
【技術分野】
【０００１】
本発明は、シャッタボタンが押されることによって被写体の撮影画像を記録媒体に記録する電子写真装置に係り、より詳細には、撮影画像を振り分けて記録媒体に記録する振り分け機能を有する電子写真装置に関する。
【背景技術】
【０００２】
一般に、電子写真装置である電子カメラでは、撮影した画像に連番を付して記録媒体であるメモリカードに順次保存（記録）するようになっている。そのため、電子カメラ内の撮り貯めた撮影画像（写真データ）をパーソナルコンピュータ（以下、単にパソコンという。）に転送する場合には、保存している写真データを番号順に順次転送することになる。一方、パソコン側では、転送されてきた写真データを同一のフォルダに順次保存することになる（これを従来技術１という）。
【０００３】
一方、このようなパソコン側での処理として、接続された電子カメラからの写真データを保存するフォルダを、例えば記録した写真データの撮影日時等の所定の情報に基づいて自動的に決定し、そのフォルダに写真データを保存するように構成された情報処理装置が提案されている（例えば、特許文献１参照）。この装置によれば、電子カメラからの写真データを、撮影日時ごとにフォルダに振り分けて保存することができる。
【特許文献１】特開２００３−２８３９７５号公報
【発明の開示】
【発明が解決しようとする課題】
【０００４】
しかし、上記従来技術１によれば、電子カメラ内に保存されている写真データをパソコンに順次転送するだけであるため、ユーザは、パソコンを操作して新たなフォルダを作成し、取り込んだ写真データを、例えば父、母、子供といった具合に分類して、作成した各フォルダに振り分けながら保存していくといった編集処理が必要となっていた。つまり、電子カメラ内に撮り貯めした写真データをパソコン等に取り込む際に煩雑な編集作業が必要となるといった問題があった。
【０００５】
一方、上記特許文献１によれば、電子カメラ内に撮り貯めした写真データをパソコンに取り込む際、例えば撮影日付ごとにフォルダに振り分けて保存することができる。しかし、この処理はあくまでパソコン側の処理であり、パソコン側にこのような処理を行うアプリケーションが搭載されていなければ対応できないといった問題があった。
【０００６】
本発明はかかる問題点を解決すべく創案されたもので、その目的は、電子カメラ内に撮り貯めした写真データをパソコン等に転送する際に、ユーザが振り分けなどの編集処理を行わなくても、電子カメラからの転送のみで写真データの振り分け処理を行うことのできる電子写真装置を提供することにある。
【課題を解決するための手段】
【０００７】
上記課題を解決するため、本発明の電子写真装置は、シャッタボタンが押されることによって被写体の撮影画像を記録媒体に記録する撮影画像記録制御手段を有する電子写真装置であって、撮影された被写体の特徴を認識する特徴認識手段と、前記特徴認識手段により認識された被写体の特徴情報を予め保存する特徴情報保存手段と、前記記録媒体に前記特徴情報に対応した１または複数の記録領域を作成する記録領域作成手段とを備えており、前記撮影画像記録制御手段は、前記シャッタボタンが押されることによって撮影された被写体の撮影画像に基づいて前記特徴認識手段により認識された被写体の特徴情報と前記特徴情報保存手段に保存されている特徴情報とを照合し、特徴が一致する場合には、その一致する特徴情報に対応して作成されている前記記録媒体の記録領域に前記撮影画像を保存することを特徴とする。この場合、前記記録領域はフォルダであり、前記特徴認識手段によって認識される被写体の特徴情報は、顔の特徴、体格的特徴、身長等の情報である。
【０００８】
このような特徴を有する本発明によれば、例えばお父さんの特徴情報に対応して父用フォルダを作成し、お母さんの特徴情報に対応して母用フォルダを作成し、子供の特徴情報に対応して子供用フォルダを作成すると、お父さんを撮影した場合には、その撮影画像が父用フォルダに保存され、お母さんを撮影した場合には、その撮影画像が母用フォルダに保存され、子供を撮影した場合には、その撮影画像が子供用フォルダに保存される。また、お母さんと子供を一緒に撮影した場合には、その撮影画像が母用フォルダと子供用フォルダの両方にそれぞれ保存される。このように、本発明によれば、被写体の特徴情報に基づいて記録媒体内の各記録領域（各フォルダ）に撮影画像を自動的に振り分けて保存することができるので、この電子写真装置を例えばＵＳＢ等の通信ケーブルを介してパソコンに接続し、電子写真装置内に撮り貯められた撮影画像を単にパソコンに転送するだけで、パソコンにはフォルダ単位でひとまとめにされた撮影画像がそのまま転送されるため、従来のようなパソコン側での編集作業が不要となるものである。
【０００９】
また、各フォルダには、複数の特徴情報を対応付けることが可能である。例えば、母用フォルダには、お母さんの特徴情報と子供の特徴情報とを対応付けておくと、子供を撮影した場合には、その撮影画像が子供用フォルダと母用フォルダの両方にそれぞれ保存されることになる。このように、一つのフォルダに複数の特徴情報を対応付けることで、各家庭の事情に応じた撮影画像の振り分け処理が可能となる。
【００１０】
また、本発明の電子写真装置は、シャッタボタンが押されることによって被写体の撮影画像を記録媒体に記録する撮影画像記録制御手段を有する電子写真装置であって、撮影された被写体の特徴を認識する特徴認識手段と、前記特徴認識手段により認識された被写体の特徴情報を予め保存する特徴情報保存手段と、前記撮影画像を分類する分類情報を前記特徴情報に対応付けて予め登録する登録手段とを備えており、前記撮影画像記録制御手段は、前記シャッタボタンが押されることによって撮影された被写体の撮影画像に基づいて前記特徴認識手段により認識された被写体の特徴情報と前記特徴情報保存手段に保存されている特徴情報とを照合し、特徴が一致する場合には、その一致する特徴情報に対応付けられている前記分類情報を前記撮影画像に付加して前記記録媒体に保存するとともに、前記記録媒体から撮影画像を読み出す場合には、前記分類情報ごとにひとまとめにして読み出すことを特徴とする。この場合、前記特徴認識手段によって認識される被写体の特徴情報は、顔の特徴、体格的特徴、身長等の情報である。
【００１１】
このような特徴を有する本発明によれば、例えばお父さんの特徴情報に対応して分類情報（父）を登録し、お母さんの特徴情報に対応して分類情報（母）を登録し、子供の特徴情報に対応して分類情報（子供）を登録すると、お父さんを撮影した場合には、その撮影画像に分類情報（父）が付加されて記録媒体に保存され、お母さんを撮影した場合には、その撮影画像に分類情報（母）が付加されて記録媒体に保存され、子供を撮影した場合には、その撮影画像に分類情報（子供）が付加されて記録媒体に保存される。また、お母さんと子供を一緒に撮影した場合には、その撮影画像に分類情報（母）（子供）が付加されて記録媒体に保存される。そして、このように保存している撮影画像を読み出してパソコン等に転送する際に、分類情報ごとにひとまとめにして読み出して順次転送するようになっている。
【００１２】
このように、本発明によれば、記録媒体への撮影画像の保存は、その撮影画像に分類情報を付加する以外、従来の電子写真装置による記録媒体への保存形式と全く同じである。すなわち、記録媒体への保存時には、分類情報を付加すること以外、撮影画像については従来通り順次保存していくことになる。つまり、一つの撮影画像を父用と子供用として保存する場合、上記発明では、それぞれのフォルダに同じ撮影画像を保存していたため、記録媒体に同じ撮影画像が何枚も保存されることになるが、本発明では、父用と子供用として保存する場合でも、保存する撮影画像は一つであるため、記録媒体のメモリ容量を効率良く使用することが可能となる。
【００１３】
そして、このように保存している撮影画像を読み出してパソコン等に転送する際に、分類情報ごとにひとまとめにして読み出して転送することができるので、この電子写真装置を例えばＵＳＢ等の通信ケーブルを介してパソコンに接続し、電子写真装置内に撮り貯めした撮影画像を単にパソコンに転送するだけで、パソコンには分類情報ごとにひとまとめにされた撮影画像がそのまま転送されるため、従来のようなパソコン側での編集作業が不要となるものである。
【００１４】
また、各特徴情報には、複数の分類情報を対応付けることが可能である。例えば、子供の特徴情報に分類情報（子供）（母）を対応付けておくと、子供を撮影した場合には、その撮影画像に分類情報として（母）（子供）の両方が付加されることになる。このように、一つの特徴情報に複数の分類情報を対応付けることで、各家庭の事情に応じた撮影画像の振り分け処理が可能となる。
【００１５】
なお、前記記録媒体は装置本体に着脱可能なメモリカードであり、前記特徴情報及び分類情報はこのメモリカードに保存されている。このように、特徴情報や分類情報を装置本体に内蔵されているメモリ（例えば、ＲＯＭやＲＡＭ等）に保存せず、画像情報を保存する着脱可能なメモリカードに保存しておけば、このメモリカードを他の電子写真装置に装着することで、改めて特徴情報や分類情報を登録することなく、その電子写真装置においても撮影した画像を自動的に分類して保存することが可能となる。
【発明の効果】
【００１６】
本発明の電子写真装置によれば、撮影された被写体の撮影画像に基づいて認識された特徴情報と予め保存されている特徴情報とを照合し、特徴が一致する場合には、その一致する特徴情報に基づいて記録媒体内の各記録領域であるフォルダに撮影画像を自動的に振り分けて保存するように構成したので、この電子写真装置を例えばＵＳＢ等の通信ケーブルを介してパソコンに接続し、電子写真装置内に撮り貯めされた撮影画像を単にパソコンに転送するだけで、パソコンにはフォルダ単位でひとまとめにされた撮影画像がそのまま転送されるため、従来のようなパソコン側での編集作業が不要となる。
【００１７】
また、本発明の電子写真装置によれば、撮影された被写体の撮影画像に基づいて認識された特徴情報と予め保存されている特徴情報とを照合し、特徴が一致する場合には、その一致する特徴情報に対応付けられている分類情報を撮影画像に付加して記録媒体に保存し、記録媒体から撮影画像を読み出す場合には、分類情報ごとにひとまとめにして読み出すように構成したので、この電子写真装置を例えばＵＳＢ等の通信ケーブルを介してパソコンに接続し、電子写真装置内に撮り貯めされた撮影画像を単にパソコンに転送するだけで、パソコンにはフォルダ単位でひとまとめにされた撮影画像がそのまま転送されるため、従来のようなパソコン側での編集作業が不要となる。また、記録媒体への撮影画像の保存は、分類情報を付加すること以外、撮影画像については従来通り順次保存するように構成したので、例えば一つの撮影画像を父用と子供用として保存する場合でも、保存する撮影画像は一つでよいため、記録媒体のメモリ容量を効率良く使用することができる。
【発明を実施するための最良の形態】
【００１８】
以下、本発明の実施の形態について、図面を参照して説明する。
【００１９】
図１は、本実施形態の電子写真装置である電子カメラの電気的構成を示すブロック図であり、図２（ａ）はこの電子カメラの正面図、（ｂ）は背面図である。
【００２０】
本実施形態の電子カメラ１は、本体の動作を制御する制御部２と、操作部３と、被写体を撮影するための撮影レンズ（対物レンズ）やＣＣＤを有する撮影部４と、撮影部４で撮影されている被写体の撮影画像を表示する表示部５と、撮影時におけるフラッシュの点灯を制御する照明部６と、撮影部４で撮影された被写体の撮影画像を電子データで記録する記録部７と、撮影された被写体の特徴である顔の特徴（目、鼻、口、眉、耳の形状及び位置関係、顔及び顎の輪郭等）、体格、身長等の情報を認識する特徴認識部８とを備えている。
【００２１】
操作部３は、少なくともシャッタボタン３１、電子カメラ１の電源をオン／オフする電源ボタン３２、表示部５に各種メニューを表示するためのメニューボタン３３、メニュー画面で各種機能を設定するための上下左右の方向選択ボタン３４を備えている。シャッタボタン３１は、カメラ本体１０の上面に配置されており、その他のボタンは図２（ｂ）に示すようにカメラ本体１０の背面に配置されている。
【００２２】
また、カメラ本体１０の背面には、表示部５によりその画面表示が制御される液晶表示器１４が配置されている。液晶表示器１４には、撮影部４で撮影されている被写体の撮影画像や、記録部７に記録されている撮影画像が表示される。また、ファインダ１３は、カメラ本体１０の背面側の幅方向の略中央部に設けられている。
【００２３】
記録部７は、撮影部４で撮影した被写体の撮影画像を電子データで記録媒体であるメモリカード（例えば、フラッシュメモリカード）７ａに記録する。このメモリカード７ａはカメラ本体１０に対して着脱可能となっている。また、照明部６によりその点灯が制御されるフラッシュ１２は、図２（ａ）に示すようにカメラ本体１０の幅方向の略中央に配置されている。
【００２４】
さらに、本実施形態の電子カメラ１は、カメラ本体１０にセットされた電池（不図示）により、本体各部に動作電源を供給する。電子カメラ１には、待機モードと撮影モードの２つのモードがある。カメラ本体１０にセットされている電池により、本体各部に動作電源の供給が行われており、被写体の撮影が行える状態が撮影モードである。一方、電源ボタン３２の操作（押下）を検出する検出機構部のみ動作電源が供給されており、その他の機構部（撮影部４、表示部５、照明部６、記録部７）に動作電源が供給されていない状態が待機モードである。待機モードは、電子カメラ１の消費電力を抑えたモードである。通常、撮影時に電子カメラ１を待機モードから撮影モードに移行させて被写体の撮影を行い、撮影終了時に電子カメラ１を撮影モードから待機モードに戻す。
【００２５】
制御部２は、シャッタボタン３１が押されることによって被写体の撮影画像をメモリカード７ａに記録する制御を行う撮影画像記録制御手段である。また、制御部２は、特徴認識部８により認識された被写体の特徴情報をメモリカード７ａに予め保存する特徴情報保存手段でもあり、さらに、撮影画像を分類する分類情報を１または複数の特徴情報に対応付けてメモリカード７ａに予め登録する登録手段でもある。
【００２６】
制御部２は、シャッタボタン３１が押されることによって撮影された被写体の撮影画像に基づいて認識された特徴情報とメモリカード７ａに保存されている特徴情報とを照合し、特徴が一致する場合には、その一致する特徴情報に対応して作成されているメモリカード７ａの記録領域（フォルダ）に撮影画像を分類して保存する処理を実施する。また、制御部２は、シャッタボタン３１が押されることによって撮影された被写体の撮影画像に基づいて認識された特徴情報とメモリカード７ａに保存されている特徴情報とを照合し、特徴が一致する場合には、その一致する特徴情報に対応付けられている分類情報を撮影画像に付加してメモリカード７ａに保存するとともに、そのメモリカード７ａから撮影画像を読み出す場合には、分類情報ごとにひとまとめにして読み出す処理を実施する。
【００２７】
以下、撮影画像のメモリカード７ａへの振り分け保存処理について、具体的に実施例を挙げて説明する。
【実施例１】
【００２８】
本実施例１の振り分け保存処理は、メモリカード７ａ内に特徴情報に対応した専用のフォルダを作成し、そのフォルダに対応する撮影画像を分類して保存する実施例である。本実施例１では、父、母、子供の３人の家族について撮影画像を振り分ける場合について説明する。
【００２９】
最初に、メニューボタン３３を操作して認識情報の登録モードを選択する。認識情報登録モードとは、特徴認識部８により認識された被写体の特徴情報を予めメモリカード７ａに保存する処理を実施するモードのことである。
【００３０】
具体的に説明すると、振り分け用の情報として、まず「父」データの作成を開始する。これは、父の「顔、全身前、全身横、全身後」等を、カメラの指定された距離（この距離は、液表表示器１４に表示される）だけ離れて撮影する。なお、カメラは、被写体からの距離を測る機能（フォーカス機能）を備えているので、この機能によって距離を計測することができる。特徴情報認識部８は、この撮影画像を基に父認識データを作成する。具体的には、父の顔の特徴（目、鼻、口、眉、耳等の形状及び位置関係、顔及び顎の輪郭等）、体格、身長等の特徴データを作成する。このような画像認識技術は従来周知の技術であるので、ここでは詳細な説明を省略する。この父認識データ（特徴データ）は、図３に示すように、メモリカード７ａの所定の領域（認識データ領域）７ａ５に保存される。次に、父が撮影された場合の撮影画像（写真データ）を保存するフォルダ名を設定入力する。これにより、メモリカード７ａに父用フォルダ７ａ１が父認識データに対応した形で作成される。
【００３１】
以下、同様にして、母認識データと子供認識データを作成し、メモリカード７ａの認識データ領域７ａ５に保存するとともに、母用フォルダ７ａ２と子供用フォルダ７ａ３とを作成する。なお、この他にも、その他のフォルダ７ａ４を作成し、家族以外の例えば動物や風景などを撮影した場合には、その他のフォルダ７ａ４に保存するようにすればよい。これにより、メモリカード７ａには、専用のフォルダとして、父用フォルダ７ａ１、母用フォルダ７ａ２、子供用フォルダ７ａ３、その他のフォルダ７ａ４の４つのフォルダが作成される。
【００３２】
以上で認識情報の初期登録を終了する。なお、この登録は、必要に応じて適宜実施すればよい。例えば、子供が成長した場合などには、子供認識データを更新する必要がある。
【００３３】
次に、上記のようにして認識情報が登録されたカメラを用いて家族を撮影した場合の撮影画像の保存処理について、図４に示すメモリカード７ａの説明図を参照して説明する。
【００３４】
＜子供一人を撮影した場合＞
子供一人を撮影すると、撮影部４から取り込まれた撮影画像Ａは特徴認識部８でその特徴が認識される。制御部２は、特徴認識部８で認識された特徴データと、メモリカード７ａの認識データ領域７ａ５に保存されている認識データ（特徴データ）とを照合する。この場合には、子供認識データと一致するので、制御部２は、撮影画像Ａをメモリカード７ａの子供用フォルダ７ａ３に保存する（図４（ａ）参照）。
【００３５】
＜家族３人を撮影した場合＞
家族３人を撮影すると、撮影部４から取り込まれた撮影画像Ｂは特徴認識部８でその特徴が認識される。制御部２は、特徴認識部８で認識された特徴データと、メモリカード７ａの認識データ領域７ａ５に保存されている認識データ（特徴データ）とを照合する。この場合には、父認識データ、母認識データ、子供認識データのいずれとも一致するので、制御部２は、撮影画像Ｂをメモリカード７ａの父用フォルダ７ａ１、母用フォルダ７ａ２、子供用フォルダ７ａ３のそれぞれにコピーして保存する（図４（ｂ）参照）。
【００３６】
＜風景や動物を撮影した場合＞
風景や動物を撮影すると、撮影部４から取り込まれた撮影画像Ｃは特徴認識部８でその特徴が認識される。制御部２は、特徴認識部８で認識された特徴データと、メモリカード７ａの認識データ領域７ａ５に保存されている特徴データとを照合する。この場合には、父認識データ、母認識データ、子供認識データのいずれとも一致しないので、制御部２は、撮影画像Ｃをメモリカード７ａのその他のフォルダ７ａ４に保存する（図４（ｃ）参照）。
【００３７】
このように、本実施例１によれば、被写体の認識データ（特徴データ）に基づいてメモリカード７ａ内の各フォルダ７ａ１〜７ａ４に撮影画像を自動的に振り分けて保存することができるので、この電子カメラ１を例えばＵＳＢ等の通信ケーブルを介して図示しないパソコンに接続し、メモリカード７ａに撮り貯めされた撮影画像を単にパソコンに転送するだけで、パソコンにはフォルダ単位でひとまとめにされた撮影画像がそのまま転送されることになる。従って、従来のようなパソコン側での編集作業が不要となる。
【００３８】
なお、上記実施例１では、各フォルダ７ａ１〜７ａ３と各認識データとが一対一対応となっている。つまり、父の撮影画像は父用フォルダ７ａ１に、母の撮影画像は母用フォルダ７ａ２に、子供の撮影画像は子供用フォルダ７ａ３にそれぞれ保存される構成となっているが、例えば母用フォルダ７ａ１に母認識データと子供認識データとを対応させておけば、上記の子供一人を撮影した撮影画像Ａも、母用フォルダ７ａ２にコピーして保存することが可能である。このように、一つのフォルダに複数の認識データを対応させておくことで、その家庭の事情に応じたよりきめ細かな振り分け処理が可能となる。
【実施例２】
【００３９】
本実施例２の振り分け保存処理は、メモリカード７ａへの撮影画像の保存時に、その撮影画像に分類情報を付加する以外、従来の電子カメラによるメモリカードへの保存形式と全く同じ形式とした実施例である。つまり、一つの撮影画像を父用と子供用として保存する場合でも、保存する撮影画像は一つでよいため、メモリカード７ａのメモリ容量を効率良く使用することが可能となるものである。本実施例２でも、父、母、子供の３人の家族について撮影画像を振り分ける場合について説明する。
【００４０】
最初に、メニューボタン３３を操作して認識情報の登録モードを選択する。認識情報登録モードとは、特徴認識部８により認識された被写体の特徴情報を予めメモリカード７ａに保存する処理を実施するモードのことである。
【００４１】
具体的に説明すると、振り分け用の情報として、まず「父」データの作成を開始する。これは、父の「顔、全身前、全身横、全身後」等を、カメラの指定された距離（この距離は、液表表示器１４に表示される）だけ離れて撮影する。なお、カメラは、被写体からの距離を測る機能（フォーカス機能）を備えているので、この機能によって距離を計測することができる。特徴情報認識部８は、この撮影画像を基に父認識データを作成する。具体的には、父の顔の特徴（目、鼻、口、眉等の形状及び位置関係、顔及び顎の輪郭等）、体格、身長等の特徴データを作成する。この父認識データ（特徴データ）は、図５に示すように、メモリカード７ａの所定の領域（認識データ領域）７ａ５に保存する。以下、同様にして、母認識データと子供認識データを作成し、メモリカード７ａの認識データ領域７ａ５に保存する。
【００４２】
次に、撮影画像を父、母、子供のどこに分類するのかの情報を設定入力する。具体的には、分類情報と上記の認識データを対応させた情報を設定する。例えば、分類情報（父）には父認識データを対応させ、分類情報（母）には母認識データを対応させ、分類情報（子供）には子供認識データを対応させる。また、いずれの認識データにも対応しない分類として分類情報（その他）を設定する。そして、このような分類情報と認識データとの対応関係を、図５に示すように、メモリカード７ａの対応関係領域７ａ６に保存する。
【００４３】
以上で認識情報の初期登録と分類情報（対応関係）の登録とを終了する。なお、認識情報の登録は、必要に応じて適宜実施すればよい。例えば、子供が成長した場合などには、子供認識データを更新する必要がある。また、分類情報（対応関係）を変更したい場合にも、分類情報の再登録を必要に応じて適宜実施すればよい。
【００４４】
次に、上記のようにして認識情報及び分類情報が登録されたカメラを用いて家族を撮影した場合の撮影画像の保存処理について、図６に示すメモリカード７ａの説明図を参照して説明する。
【００４５】
＜子供一人を撮影した場合＞
子供一人を撮影すると、撮影部４から取り込まれた撮影画像Ａは特徴認識部８でその特徴が認識される。制御部２は、特徴認識部８で認識された特徴データと、メモリカード７ａの認識データ領域７ａ５に保存されている認識データ（特徴データ）とを照合する。この場合には、子供認識データと一致するので、制御部２は、次にメモリカード７ａの対応関係領域７ａ６に保存されている分類情報から、子供認識データが対応付けられている分類情報を抽出する。この場合には、分類情報（子供）が子供認識データに対応付けられているので、制御部２は、この対応関係に基づき、撮影画像Ａに分類情報（子供）７１ｃを付加してメモリカード７ａに保存する（図６（ａ）参照）。
【００４６】
＜家族３人を撮影した場合＞
家族３人を撮影すると、撮影部４から取り込まれた撮影画像Ｂは特徴認識部８でその特徴が認識される。制御部２は、特徴認識部８で認識された特徴データと、メモリカード７ａの認識データ領域７ａ５に保存されている認識データ（特徴データ）とを照合する。この場合には、父認識データ、母認識データ、子供認識データのいずれとも一致するので、制御部２は、次にメモリカード７ａの対応関係領域７ａ６に保存されている分類情報から、父認識データ、母認識データ、子供認識データが対応付けられている分類情報を抽出する。この場合には、分類情報（父）（母）（子供）が対応付けられているので、制御部２は、この対応関係に基づき、撮影画像Ａに分類情報（父）７１ａ，（母）７１ｂ，（子供）７１ｃを付加してメモリカード７ａに保存する（図６（ｂ）参照）。
【００４７】
＜風景や動物を撮影した場合＞
風景や動物を撮影すると、撮影部４から取り込まれた撮影画像Ｃは特徴認識部８でその特徴が認識される。制御部２は、特徴認識部８で認識された特徴データと、メモリカード７ａの認識データ領域７ａ５に保存されている特徴データとを照合する。この場合には、父認識データ、母認識データ、子供認識データのいずれとも一致しないので、制御部２は、撮影画像Ｃに分類情報（その他）７１ｄを付加してメモリカード７ａに保存する（図６（ｃ）参照）。
【００４８】
このように、本実施例２によれば、被写体の特徴データに基づき、撮影画像に分類情報７１ａ〜７１ｄを自動的に振り分けて付加しながらメモリカード７ａ内に保存することができる。一方、制御部２は、この電子カメラ１を例えばＵＳＢ等の通信ケーブルを介して図示しないパソコンに接続し、メモリカード７ａに撮り貯めされた撮影画像をパソコンに転送する際、メモリカード７ａ内に撮り貯めされた撮影画像を、分類情報ごとにひとまとめにして読み出して順次転送する。例えば、分類情報（子供）７１ｃを読み出す場合には、撮影画像Ａと撮影画像Ｂをひとまとめにして順次読み出し、パソコンに転送する。これにより、パソコン側では、子供として分類された撮影画像Ａ，Ｂが子供用フォルダにひとまとめにされた状態で取り込まれることになる。従って、従来のようなパソコン側での編集作業が不要となる。
【００４９】
なお、上記実施例２では、各分類情報７１ａ〜７１ｄと各認識データとが一対一対応となっている。つまり、分類情報（父）には父認識データのみが対応し、分類情報（母）には母認識データのみが対応し、分類情報（子供）には子供認識データのみが対応した構成となっているが、例えば分類情報（母）に母認識データと子供認識データとを対応させておいてもよい。この場合には、撮影画像Ａをメモリカード７ａに保存する際、分類情報として（母）７１ｂと（子供）７１ｃとが付加されることになる。従って、パソコンに転送する際、分類情報（母）７１ｂを読み出す場合には、撮影画像Ａと撮影画像Ｂをひとまとめにして順次読み出してパソコンに転送し、パソコン側では、母として分類された撮影画像Ａ，Ｂが母用フォルダにひとまとめにされた状態で取り込まれることになる。このように、一つの分類情報に複数の認識データを対応させておくことで、その家庭の事情に応じたよりきめ細かな振り分けが可能となる。
【図面の簡単な説明】
【００５０】
【図１】本発明の電子写真装置である電子カメラの電気的構成を示すブロック図である。
【図２】（ａ）は本実施形態の電子カメラの正面図、（ｂ）は背面図である。
【図３】実施例１のメモリカードのデータ構成を示す説明図である。
【図４】実施例１の振り分け保存処理を説明するためのメモリカードの保存形態を示す説明図である。
【図５】実施例２のメモリカードのデータ構成を示す説明図である。
【図６】実施例２の振り分け保存処理を説明するためのメモリカードの保存形態を示す説明図である。
【符号の説明】
【００５１】
１  電子カメラ
２  制御部
３  操作部
４  撮影部
５  表示部
６  照明部
７  記録部
７ａ  メモリカード
７ａ１  父用フォルダ
７ａ２  母用フォルダ
７ａ３  子供用フォルダ
７ａ４  その他のフォルダ
７ａ５  認識データ領域（所定の領域）
７ａ６  対応関係領域
８  特徴認識部
１２  フラッシュ
１３  ファインダ
１４  液晶表示器
３１  シャッタボタン
３２  電源ボタン
３３  メニューボタン
３４  方向選択ボタン
７１ａ  分類情報（父）
７１ｂ  分類情報（母）
７１ｃ  分類情報（子供）
７１ｄ  分類情報（その他）
【図１】
2006080891.tif 000003
【図２】
2006080891.tif 000004
【図３】
2006080891.tif 000005
【図４】
2006080891.tif 000006
【図５】
2006080891.tif 000007
【図６】
2006080891.tif 000008